(57)【要約】【課題】利便性を向上可能な情報処理装置、情報処理システム、情報処理方法及びプログラムを提供する。【解決手段】情報処理装置３０は、媒体に掲載される商品に関する前記媒体に掲載される情報と、複数の情報源から取得した商品に関する詳細な情報と、に基づき、媒体に掲載される商品に関する情報を統合する制御部３３、を備える。【選択図】図２
2018073205.tif 000002
【特許請求の範囲】
【請求項１】
媒体に掲載される商品に関する前記媒体に掲載される情報と、複数の情報源から取得した商品に関する詳細な情報と、に基づき、前記媒体に掲載される商品に関する情報を統合する制御部、を備える、情報処理装置。
【請求項２】
前記複数の情報源は、前記情報処理装置とは異なる他の複数の情報処理装置である、請求項１に記載の情報処理装置。
【請求項３】
第１情報処理装置と第２情報処理装置とを備え、
前記第１情報処理装置は、媒体に掲載される商品に関する前記媒体に掲載される情報であって、前記第２情報処理装置から取得した前記媒体に掲載される情報と、前記商品に関する詳細な情報とに基づき、前記商品に関する情報を統合し、該統合した商品に関する情報を、前記第２情報処理装置に送信し、
前記第２情報処理装置は、前記第１情報処理装置から取得した前記商品に関する情報に基づき、該商品に関する情報と、前記商品の販売店舗に関する情報とを対応付けて、データベースを構築する、
情報処理システム。
【請求項４】
前記第２情報処理装置は、前記商品に関する詳細な情報を、前記第２情報処理装置とは異なる他の情報処理装置から取得する、請求項３に記載の情報処理システム。
【請求項５】
情報処理システムにより実行される情報処理方法であって、
媒体に掲載される商品に関する前記媒体に掲載される情報と、前記商品に関する詳細な情報とを対応付けて、前記商品に関する情報を統合するステップと、
前記商品に関する情報と、前記商品の販売店舗に関する情報とを対応付けて、データベースを構築するステップと、
を含む、情報処理方法。
【請求項６】
情報処理装置を備える情報処理システムに、
媒体に掲載される商品に関する前記媒体に掲載される情報と、前記商品に関する詳細な情報とを対応付けて、前記商品に関する情報を統合するステップと、
前記商品に関する情報と、前記商品の販売店舗に関する情報とを対応付けて、データベースを構築するステップと、
を実行させるプログラム。
【発明の詳細な説明】
【技術分野】
【０００１】
本発明は、情報処理装置、情報処理システム、情報処理方法及びプログラムに関する。
【背景技術】
【０００２】
近年、商品を提供する販売者が多様な方法で消費者に商品を提供する方法が提案されており、消費者も多様な方法で商品を購入することができるようになっている。例えば、特許文献１に開示された発明によれば、販売者は、実際に商品を販売する店舗に行くことなく、端末装置を使用して、オンラインで商品を購入することができる。
【先行技術文献】
【特許文献】
【０００３】
【特許文献１】特開２００６−１５５０５２号公報
【発明の概要】
【発明が解決しようとする課題】
【０００４】
このように商品を提供及び購入する手段が多様化する中で、消費者は、様々な情報源から商品に関する情報を得て、多様な手段により商品を購入することができるようになる。しかしながら、消費者は、例えばインターネット又は雑誌等の媒体を通して商品に関する情報を得た場合であっても、実店舗又はオンラインショップ等において提供される商品と、媒体を通して情報を得た商品とを、同定することが困難な場合がある。例えば雑誌で商品の情報を得たとしても、実店舗で提供される商品が、雑誌に掲載されていた商品と同一の商品であるか否かの判別が困難な場合がある。
【０００５】
また、消費者は、媒体を通じて情報を得た商品の購入を希望する場合に、どのように商品を購入できるかを知ることが困難な場合がある。例えば、消費者は、どの実店舗において、あるいは、どのオンラインショップのインターネットサイトにおいて、購入を希望する商品が売られているかを知ることが困難な場合がある。
【０００６】
従って、上記のような問題点に鑑みてなされた本発明の目的は、利便性を向上可能な情報処理装置、情報処理システム、情報処理方法及びプログラムを提供することにある。
【課題を解決するための手段】
【０００７】
上述した諸課題を解決すべく、本発明の一実施形態に係る情報処理装置は、
媒体に掲載される商品に関する前記媒体に掲載される情報と、複数の情報源から取得した商品に関する詳細な情報と、に基づき、前記媒体に掲載される商品に関する情報を統合する制御部、を備える。
【０００８】
上記情報処理装置において、前記複数の情報源は、前記情報処理装置とは異なる他の複数の情報処理装置であってよい。
【０００９】
また、本発明の一実施形態に係る情報処理システムは、
第１情報処理装置と第２情報処理装置とを備え、
前記第１情報処理装置は、媒体に掲載される商品に関する前記媒体に掲載される情報であって、前記第２情報処理装置から取得した前記媒体に掲載される情報と、前記商品に関する詳細な情報とに基づき、前記商品に関する情報を統合し、該統合した商品に関する情報を、前記第２情報処理装置に送信し、
前記第２情報処理装置は、前記第１情報処理装置から取得した前記商品に関する情報に基づき、該商品に関する情報と、前記商品の販売店舗に関する情報とを対応付けて、データベースを構築する。
【００１０】
上記情報処理システムにおいて、
前記第２情報処理装置は、前記商品に関する詳細な情報を、前記第２情報処理装置とは異なる他の情報処理装置から取得してもよい。
【００１１】
また、本発明の一実施形態に係る情報処理方法は、
情報処理システムにより実行される情報処理方法であって、
媒体に掲載される商品に関する前記媒体に掲載される情報と、前記商品に関する詳細な情報とを対応付けて、前記商品に関する情報を統合するステップと、
前記商品に関する情報と、前記商品の販売店舗に関する情報とを対応付けて、データベースを構築するステップと、
を含む。
【００１２】
また、本発明の一実施形態に係るプログラムは、
情報処理装置を備える情報処理システムに、
媒体に掲載される商品に関する前記媒体に掲載される情報と、前記商品に関する詳細な情報とを対応付けて、前記商品に関する情報を統合するステップと、
前記商品に関する情報と、前記商品の販売店舗に関する情報とを対応付けて、データベースを構築するステップと、
を実行させる。
【発明の効果】
【００１３】
上記のように構成された本発明に係る情報処理装置、情報処理システム、情報処理方法及びプログラムによれば、利便性を向上可能である。
【図面の簡単な説明】
【００１４】
【図１】本発明の一実施形態に係る情報処理システムの概略構成の一例を示す機能ブロック図である。
【図２】図１の情報処理システムにおける情報処理の一例を示すシーケンス図である。
【図３】掲載商品データの一例を模式的に示す図である。
【図４】詳細情報の一例を模式的に示す図である。
【図５】商品データファイルの生成の一例を説明する図である。
【発明を実施するための形態】
【００１５】
以下、本発明の一実施形態について、図面を参照して詳細に説明する。
【００１６】
図１は、本発明の一実施形態に係る情報処理システム１の概略構成の一例を示す機能ブロック図である。情報処理システム１は、管理サーバ１０と、商品提供者サーバ２０ａ及び商品提供者サーバ２０ｂと、統合サーバ３０とを備える。本明細書において、商品提供者サーバ２０ａと、商品提供者サーバ２０ｂとを区別しない場合には、これらをまとめて商品提供者サーバ２０と記載する。なお、図１では、商品提供者サーバ２０を２つ示しているが、商品提供者サーバ２０の数量は２つに限られない。情報処理システム１は、例えば１つ又は３つ以上の商品提供者サーバ２０を備えていてもよい。
【００１７】
情報処理システム１は、商品の提供に関するデータベースを構築する。情報処理システム１により構築されたデータベースは、消費者（ユーザ）による商品の詳細情報の検索に用いられる。商品の詳細情報の検索処理は、例えば管理サーバ１０で実行される。
【００１８】
ユーザは、例えば商品の詳細情報を取得するための専用アプリケーションを、自ら所有する端末装置に予めインストールする。端末装置は、例えば携帯電話又はタブレット端末等である。ユーザは、所定の媒体を介して商品に関する情報を取得する。本実施形態では、所定の媒体が、例えばファッション雑誌等の雑誌である場合について説明する。ファッション雑誌には、衣類、装飾品及び履物等が商品として掲載される。ファッション雑誌には、例えばモデルが着用した状態で商品が掲載されていたり、個別の商品のみが掲載されていたりする。また、ファッション雑誌には、商品を着用しているモデルと、モデルが着用している商品そのものの写真が所定のレイアウトで掲載されていてもよい。
【００１９】
ユーザは、情報を取得した商品（例えば雑誌に掲載されていた商品）の購入を希望する場合、端末装置にインストールされた専用アプリケーションを用いて、商品の画像データを、端末装置から管理サーバ１０に送信する。商品の画像データは、商品を特定可能な任意の画像データであってよい。商品の画像データは、例えば端末装置が備えるカメラ等の撮影部を用いて撮影された、雑誌の所定ページの画像であってよい。
【００２０】
管理サーバ１０は、商品の画像データを受信すると、画像データに基づいて、情報処理システム１で構築されたデータベースを参照して、受信した画像データに対応する商品の詳細情報を検索する。管理サーバ１０は、例えば取得した画像データと、管理サーバ１０に記憶された画像データとを比較して、受信した画像データに対応する商品を特定することにより商品を検索する。管理サーバ１０は、検索の結果として抽出された商品の詳細情報を、ユーザの端末装置に送信する。端末装置は、商品の詳細情報を、ディスプレイ等の表示部に表示する。ユーザは、表示部に表示された詳細情報を閲覧することにより、商品の詳細情報を知ることができる。
【００２１】
商品の詳細情報は、例えば、提供者名、商品名、商品識別情報、色、サイズ及び値段等、商品の性質に関する情報を含んでよい。提供者名は、例えば製造者名であってもよく、例えばブランド名であってもよい。商品名は、商品の名称である。商品識別情報は、商品を一意に特定可能な情報であり、例えば英数字の組合せにより表される。商品識別情報は、例えばＳＫＵ（Stock Keeping Unit）又はＧＴＩＮ（Global Trade Item Number）等であってよい。商品の詳細情報は、当該商品が掲載された、インターネット上のＵＲＬ（Uniform Resource Locator）を含んでいてもよい。当該ＵＲＬは、例えば商品の提供者がインターネット上で掲載している、商品に関する情報を閲覧するためのＵＲＬ等である。また、商品の詳細情報は、ユーザが商品を購入可能な手段に関する情報を含んでよい。商品を購入可能な手段に関する情報は、例えば、当該商品を販売する実店舗の店舗名、住所及び地図、並びに当該商品を購入可能なオンラインショップのＵＲＬ等である。ユーザは、商品の提供に関する情報を閲覧することにより、商品の購入手段を知ることができる。
【００２２】
次に、情報処理システム１の詳細について説明する。管理サーバ１０と、商品提供者サーバ２０と、統合サーバ３０とは、それぞれコンピュータ等の情報処理装置で構成される。管理サーバ１０、商品提供者サーバ２０及び統合サーバ３０は、それぞれ下記説明する機能を実行可能な任意の情報処理装置により構成できる。管理サーバ１０は、統合サーバ３０と、例えばインターネット回線、ＷＡＮ（Wide Area Network）、ＬＡＮ（Local Area Network）等のネットワークを介して、それぞれ通信可能に接続される。また、各商品提供者サーバ２０は、統合サーバ３０と、上述したものと同様のネットワークを介して、それぞれ通信可能に接続される。
【００２３】
管理サーバ１０は、例えば、情報処理システム１で構築されたデータベースを記憶し、上述の専用アプリケーションによるサービスを提供する。管理サーバ１０は、例えば、上述の専用アプリケーションによるサービスを提供するサービス提供者により、運営及び管理される。管理サーバ１０は、通信部１１と、記憶部１２と、制御部１３とを備える。
【００２４】
通信部１１は、ネットワークに接続された状態において、統合サーバ３０との間で情報（データ）の送受信を行う。通信部１１は、ネットワークに接続された状態において、ユーザが所有する端末装置との間で情報の送受信を行ってもよい。
【００２５】
記憶部１２は、多様なメモリデバイスを有し、用途に応じてそれぞれ各種情報、例えば制御部１３の制御に必要なデータ等を記憶する。また、記憶部１２は、ワークメモリとして機能するＲＡＭ（Random Access Memory）等のデバイスも有する。記憶部１２が記憶するデータの例については、後述する情報処理システム１におけるデータベースの構築処理の説明において、記載する。
【００２６】
制御部１３は、管理サーバ１０の各機能ブロックをはじめとして、管理サーバ１０の全体を制御及び管理するプロセッサである。制御部１３は、制御手順を規定したプログラムを実行するＣＰＵ（Central Processing Unit）等のプロセッサで構成され、かかるプログラムは、例えば記憶部１２又は外部の記憶媒体等に格納される。制御部１３が、データベースの構築において実行する処理の詳細については、後述する。
【００２７】
商品提供者サーバ２０は、例えば、商品を提供する提供者により運営及び管理される。商品提供者サーバ２０ａ及び２０ｂは、それぞれ異なる提供者（例えば提供者Ａ及び提供者Ｂ）により、運営及び管理される。商品提供者サーバ２０は、例えば、提供者が提供する商品の詳細情報を記憶する。各商品提供者サーバ２０ａ及び２０ｂの構成及び機能は、それぞれ同一であるため、ここでは、商品提供者サーバ２０として、その構成及び機能について説明する。
【００２８】
商品提供者サーバ２０は、通信部２１と、記憶部２２と、制御部２３とを備える。
【００２９】
通信部２１は、ネットワークに接続された状態において、統合サーバ３０との間で情報（データ）の送受信を行う。
【００３０】
記憶部２２は、多様なメモリデバイスを有し、用途に応じてそれぞれ各種情報、例えば制御部２３の制御に必要なデータ等を記憶する。また、記憶部２２は、ワークメモリとして機能するＲＡＭ等のデバイスも有する。また、記憶部２２は、提供者が提供する商品の詳細情報を記憶する。すなわち、各商品提供者サーバ２０ａ及び２０ｂには、それぞれ提供者Ａ及び提供者Ｂが提供する商品の詳細情報が記憶されている。各商品提供者サーバ２０ａ及び２０ｂには、例えばそれぞれ提供者Ａ及び提供者Ｂが構築したフォーマットで、商品の詳細情報が記憶されているため、各商品提供者サーバ２０ａ及び２０ｂが記憶する商品詳細情報のフォーマットは、それぞれ異なる場合がある。また、記憶部２２は、商品の詳細情報として、商品の入手可能性に関する情報を記憶する。商品の入手可能性に関する情報は、例えば商品の在庫状況等、ユーザが商品を購入可能か否かを示す情報である。在庫状況は、例えば各店舗における在庫の有無及び在庫点数等を含んでよい。
【００３１】
記憶部２２に記憶される情報は、例えば商品提供者により、定期的又は不定期的に更新される。例えば、記憶部２２に記憶される情報は、商品に関する情報（例えば値段等）が変化した場合に、商品提供者により更新される。また、記憶部２２に記憶される情報は、商品提供者が新たな商品の発売を開始した場合に、当該新たな商品に関する情報が追加されることにより更新される。
【００３２】
制御部２３は、商品提供者サーバ２０の各機能ブロックをはじめとして、商品提供者サーバ２０の全体を制御及び管理するプロセッサである。制御部２３は、制御手順を規定したプログラムを実行するＣＰＵ等のプロセッサで構成され、かかるプログラムは、例えば記憶部２２又は外部の記憶媒体等に格納される。制御部２３は、記憶部２２に記憶された商品の詳細情報を、通信部２１から統合サーバ３０に送信する。制御部２３が、実行する処理の詳細については後述する。
【００３３】
統合サーバ３０は、管理サーバ１０から取得した要求に基づき、商品提供者サーバ２０から取得した商品の詳細情報を参照して、商品データファイルを生成する。商品データファイルの詳細については後述する。統合サーバ３０は、通信部３１と、記憶部３２と、制御部３３とを備える。
【００３４】
通信部３１は、ネットワークに接続された状態において、管理サーバ１０及び商品提供者サーバ２０との間で情報（データ）の送受信を行う。
【００３５】
記憶部３２は、多様なメモリデバイスを有し、用途に応じてそれぞれ各種情報、例えば制御部３３の制御に必要なデータ等を記憶する。また、記憶部３２は、ワークメモリとして機能するＲＡＭ等のデバイスも有する。記憶部３２は、例えば各商品提供者サーバ２０ａ及び２０ｂから取得した商品の詳細情報を記憶する。
【００３６】
制御部３３は、統合サーバ３０の各機能ブロックをはじめとして、統合サーバ３０の全体を制御及び管理するプロセッサである。制御部３３は、制御手順を規定したプログラムを実行するＣＰＵ等のプロセッサで構成され、かかるプログラムは、例えば記憶部３２又は外部の記憶媒体等に格納される。制御部３３は、管理サーバ１０から受信した要求に応じて、商品に関する情報の統合（対応付け）を行うことにより、商品データファイルを生成する。制御部３３が、実行する処理の詳細については後述する。
【００３７】
次に、情報処理システム１によるデータベースの構築処理の詳細について説明する。図２は、情報処理システム１における情報処理の一例を示すシーケンス図である。
【００３８】
まず、管理サーバ１０は、雑誌（媒体）に掲載された商品に関する、雑誌に掲載された情報の入力を受け付ける（ステップＳ１０１）。雑誌に掲載された商品に関する情報を、以下、本明細書において、「掲載商品データ」とも称する。掲載商品データは、例えば、管理サーバ１０を運営及び管理するサービス提供者が、雑誌を発行する発行者から取得した情報に基づいて、登録することができる。掲載商品データは、例えば、雑誌を発行する発行者により、管理サーバ１０に入力されてもよい。例えば、管理サーバ１０を運営及び管理するサービス提供者が、各発行者にアクセス権を与える等して、管理サーバ１０への情報の書き込みを許可することにより、許可を受けた発行者が管理サーバに掲載商品データを入力できる。
【００３９】
掲載商品データは、任意のファイル形式で提供されてよい。掲載商品データは、例えばＣＳＶ（Comma-Separated Values）ファイル、ＸＭＬ（Extensible Markup Language）ファイル又はＴＸＴ（テキスト）ファイル等の任意のファイル形式で送信されてよい。
【００４０】
管理サーバ１０は、ステップＳ１０１で入力された掲載商品データを、記憶部１２に記憶する（ステップＳ１０２）。掲載商品データは、雑誌を発行する発行者から取得した、雑誌に掲載された商品に関する情報のデータに基づいて、管理サーバ１０が自動的に記憶部１２に記憶してもよい。
【００４１】
管理サーバ１０は、例えば、掲載商品データを、発行される雑誌ごとに記憶してよい。図３は、掲載商品データの一例を模式的に示す図である。掲載商品データは、例えば、雑誌の識別情報、雑誌の名称（雑誌名）、雑誌の発行年月日、及び個別の商品の掲載情報を含む。雑誌の識別情報は、雑誌を一意に特定可能な情報であり、例えば英数字の組合せにより表される。雑誌名は、例えば雑誌のタイトル等である。発行年月日は、雑誌が発行される年月日である。
【００４２】
個別の商品の掲載情報は、商品に関する、雑誌に掲載された情報である。掲載情報は、例えば、ページ番号、ページ画像、商品名、商品識別情報及び提供者名を含んでよい。ページ番号は、雑誌において商品が掲載されたページの番号である。ページ画像は、各ページ番号に印刷された画像である。個別の商品の掲載情報は、上述した情報以外の他の情報を含んでいてもよい。個別の商品の掲載情報は、例えば、商品のサイズ及び色等の情報を含んでいてもよい。
【００４３】
再び図２を参照すると、管理サーバ１０は、商品取扱データの入力を受け付ける（ステップＳ１０３）。商品取扱データは、実店舗と、当該実店舗で扱う商品の提供者とを対応付けた情報である。すなわち、商品取扱データは、店舗で販売される商品の提供者に関するデータである。商品取扱データは、例えば、サービス提供者が、各実店舗又は各商品提供者から取得した情報に基づき、入力される。商品取扱データは、例えば上記掲載商品データと同様に、所定のユーザにアクセス権を与えて、書き込みを行わせる等してもよい。
【００４４】
管理サーバ１０は、ステップＳ１０３で入力された商品取扱データを記憶する（ステップＳ１０４）。
【００４５】
また、商品提供者サーバ２０ａは、商品の詳細情報を統合サーバ３０に送信する（ステップＳ１０５）。すなわち、商品提供者サーバ２０ａは、予め商品の提供者Ａにより記憶部２２に記憶された、提供者Ａが提供する商品の詳細情報を、統合サーバ３０に送信する。
【００４６】
統合サーバ３０は、商品提供者サーバ２０ａが送信した詳細情報を取得すると、取得した詳細情報を、記憶部３２に記憶する（ステップＳ１０６）。
【００４７】
また、商品提供者サーバ２０ｂは、商品の詳細情報を統合サーバ３０に送信する（ステップＳ１０７）。すなわち、商品提供者サーバ２０ｂは、予め商品の提供者Ｂにより記憶部２２に記憶された、提供者Ｂが提供する商品の詳細情報を、統合サーバ３０に送信する。
【００４８】
統合サーバ３０は、商品提供者サーバ２０ｂが送信した詳細情報を取得すると、取得した詳細情報を、記憶部３２に記憶する（ステップＳ１０８）。
【００４９】
ステップＳ１０５及びＳ１０７における詳細情報の送信は、例えばＦＴＰ（File Transfer Protocol）等の所定のプロトコルにより、実行されてよい。
【００５０】
商品提供者サーバ２０ａ及び２０ｂは、それぞれステップＳ１０５及びＳ１０７に示された詳細情報の送信を、定期的又は不定期的に実行してよい。例えば、商品提供者サーバ２０は、１日に１回又は数日に１回、詳細情報の送信を実行してよい。例えば、商品提供者サーバ２０は、商品提供者サーバ２０の記憶部２２に記憶された情報が更新されるたび、詳細情報の送信を実行してよい。また、商品提供者サーバ２０は、当該商品提供者サーバ２０を運営及び管理する提供者による所定の操作に基づき、詳細情報の送信を実行してよい。また、商品提供者サーバ２０は、例えば、統合サーバ３０から詳細情報の送信を要求する信号を受信したことに応じて、詳細情報の送信を実行してもよい。
【００５１】
なお、情報処理システム１が、３つ以上の商品提供者サーバ２０を含む場合、統合サーバ３０は、情報処理システム１が含む他の商品提供者サーバ２０から、商品の詳細情報を取得する。このようにして、統合サーバ３０は、情報処理システム１が含む他の商品提供者サーバ２０からの情報も取得できる。統合サーバ３０は、情報処理システム１が含む全ての商品提供者サーバ２０から詳細情報を取得することが好ましい。
【００５２】
図４は、商品提供者サーバ２０から統合サーバ３０に送信される詳細情報の一例を模式的に示す図である。詳細情報は、図４に示すように、例えば、商品識別情報、商品名、商品説明、リンク情報及び商品画像等を含む。商品説明は、商品の内容に関する説明であり、例えば、色、サイズ、材質（原材料）、特徴、及び値段等を含んでよい。リンク情報は、例えば商品が掲載された、インターネット上のＵＲＬ等である。リンク情報は、商品を購入可能なオンラインショップのＵＲＬを含んでよい。商品画像は、商品に関する画像である。詳細情報は、複数の商品画像を含んでいてもよい。複数の商品画像は、例えば、それぞれ商品を多方向から撮像した画像、及び商品の特定の箇所を拡大して撮像した画像等であってよい。また、詳細情報は、商品に関する他の任意の情報を含んでもよい。商品提供者サーバ２０から統合サーバ３０に送信される詳細情報は、商品に関するあらゆる情報が含まれていることが好ましい。
【００５３】
そして、管理サーバ１０は、統合サーバ３０に、商品データファイル送信要求を送信する（ステップＳ１０９）。商品データファイル送信要求は、商品データファイルの送信を要求する信号である。管理サーバ１０は、定期的又は不定期的に、商品データファイル送信要求を送信してよい。管理サーバ１０は、例えば管理サーバ１０を運営及び管理するサービス提供者による所定の入力操作に基づいて、商品データファイル送信要求を送信してもよい。商品データファイル送信要求は、掲載商品データを含む。
【００５４】
統合サーバ３０は、商品データファイル送信要求を受信したことに応じて、商品データファイルを生成する。具体的には、統合サーバ３０は、商品データファイル送信要求に含まれる商品識別情報に基づいて、掲載商品データに含まれる商品と、詳細情報とを対応付ける（ステップＳ１１０）。すなわち、統合サーバ３０は、取得した掲載商品データに含まれる商品識別情報と、記憶部３２に記憶した詳細情報に含まれる商品識別情報とを対比し、掲載商品データに含まれる商品と、その商品の詳細情報とを対応付ける。
【００５５】
統合サーバ３０は、ステップＳ１０８で対応付けた各商品について、商品ごとに、商品の情報を、統一されたフォーマットに整理する（ステップＳ１１１）。これにより、統合サーバ３０は、商品データファイルを生成する。
【００５６】
図５は、商品データファイルの生成の一例を説明する図である。図５に示すように、商品データフィードに係る商品と、掲載商品データに係る商品とが、商品識別情報等の商品特定情報に基づいて対応付けられる。そして、商品データフィードと、掲載商品データとにおける各情報が、商品データファイルとして統合される。商品データファイルは、商品ごとに生成される。同一の商品が複数の雑誌に掲載されている場合には、複数の雑誌に関する雑誌名及び雑誌識別情報等が、１つの商品データファイルに含まれる。
【００５７】
商品データファイルとして生成されるファイルのフォーマットは予め定められている。そのため、統合サーバ３０は、商品データファイルに関する各項目に対応する、詳細情報及び掲載商品データ内の項目を特定し、詳細情報及び掲載商品データにおいて特定した項目に記載された内容を、商品データファイルの各項目として記録する（対応付ける）ことにより、統一されたフォーマットの商品データファイルを生成する。
【００５８】
商品データファイルの生成により、統合サーバ３０が管理サーバ１０から受信した各商品が、商品データファイルという統一されたフォーマットで整理される。特に、異なる商品提供者サーバ２０から取得された詳細情報は、それぞれ異なるフォーマットで作成される場合があるが、このようなフォーマットの差異を統一することができる。また、商品データファイルの生成により、例えば複数の雑誌に掲載された商品が、１つの商品データファイルというフォーマットとして統合される。これにより、商品毎の情報を一元的に管理できるようになる。統合サーバ３０は、生成した商品データファイルを、記憶部３２に記憶してもよい。
【００５９】
統合サーバ３０は、生成した商品データファイルを、管理サーバ１０に送信する（ステップＳ１１２）。
【００６０】
管理サーバ１０は、統合サーバ３０から取得した商品データファイルを記憶部１２に記憶する（ステップＳ１１３）。
【００６１】
そして、管理サーバ１０は、商品データファイルと、商品取扱データとの対応付けを行う（ステップＳ１１４）。具体的には、管理サーバ１０は、商品データファイルに含まれる商品の提供者名と、商品取扱データに含まれる提供者名とを対応付けることにより、商品データファイルに含まれる商品の提供者が提供する商品を販売する（取り扱う）実店舗を対応付ける。このようにして、商品の提供に関するデータベースが構築される。
【００６２】
管理サーバ１０は、ステップＳ１１４にて構築した商品の提供に関するデータベースを、記憶部１２に記憶する（ステップＳ１１５）。このようにして記憶部１２に記憶されたデータベースは、上述したように、ユーザによる、専用アプリケーションを用いた商品の詳細情報の検索に用いられる。
【００６３】
このように、情報処理システム１によれば、統合サーバ３０において、各商品について、雑誌に掲載された商品の情報である掲載商品データと、商品に関する詳細情報とが対応付けられる。詳細情報は、例えば複数の提供者がそれぞれ異なるフォーマットで作成したものである。雑誌等の媒体では、例えば複数の提供者が提供する商品（つまり複数のブランドの商品）が掲載されるが、統合サーバ３０が対応付けを行うことにより、異なるフォーマットで作成された商品の情報が、商品データファイルという統一されたフォーマットに整理される。
【００６４】
また、情報処理システム１によれば、管理サーバ１０において、商品データファイルの商品と、商品取扱データとを対応付けて商品の提供に関するデータベースが構築される。ユーザが、専用アプリケーションを用いて、端末装置から商品の画像データを管理サーバ１０に送信すると、管理サーバ１０は、画像データに基づいて、例えば画像処理を行い、当該画像データに対応する商品を判定する。管理サーバ１０は、判定した商品の詳細情報をユーザの端末装置に送信する。ここで、管理サーバ１０に記憶されたデータベースに含まれる商品は、商品取扱データに対応付けられたものであるため、ユーザは、商品の取り扱い店舗に関する情報を知ることができる。すなわち、ユーザは、購入を希望する商品の購入手段を容易に知ることができるようになる。このようにして、情報処理システム１によれば、利便性が向上する。
【００６５】
以上、本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６６】
例えば、各構成部、各ステップ等に含まれる機能等は論理的に矛盾しないように再配置可能であり、複数の構成部やステップ等を1つに組み合わせたり、或いは分割したりすることが可能である。
【００６７】
上記実施形態では、一例として、媒体が雑誌の場合について説明したが、媒体は雑誌に限られず、例えば新聞及び書籍等の他の媒体であってもよい。
【００６８】
また、ユーザが管理サーバ１０に送信する画像データは、端末装置の撮影部で撮影した画像データに限られない。画像データは、例えば、インターネット上に投稿された記事及びブログ等に掲載された画像（写真）等のデータであってもよい。この場合、情報処理システム１において、予め当該記事及びブログ等に掲載された画像に写った商品について、掲載商品データを管理サーバ１０に入力し、上記実施形態で説明した方法で、当該画像に対応付けられた商品に関する情報がデータベース内に含まれて構築されていれば、管理サーバ１０は、当該記事及びブログ等に掲載された画像に基づいて、商品に関する情報を端末装置に送信できる。
【００６９】
また、管理サーバ１０による商品の検索は、必ずしも画像データに基づいて行われなくてもよい。管理サーバ１０による商品の検索は、他のデータに基づいて行われてもよい。例えば、管理サーバ１０による商品の検索は、音声データに基づいて行われてもよい。具体的には、ユーザは、例えば、購入を希望する商品のコマーシャルで使用されている音声のデータを、端末装置から管理サーバ１０に送信する。管理サーバ１０には、予め情報処理システム１により、各商品に音声データが対応付けられて構築されたデータベースが記憶される。管理サーバ１０は、端末装置から取得した音声データを、データベースとして記憶された音声データと比較し、取得した音声データに対応する音声データに対応付けられた商品を抽出する。管理サーバ１０は、抽出した商品に関する情報を端末装置に送信する。なお、音声データは、例えばミュージックビデオ、映画又はドラマ等のシーンにおいて、所定の商品が映し出されている場合における、当該ミュージックビデオ、映画又はドラマ等の挿入曲に関するデータ等であってもよい。
【００７０】
また、上記実施形態において、統合サーバ３０が掲載商品データと詳細情報との対応付けを行い（図２のステップＳ１１０）、管理サーバ１０が商品データファイルと商品取扱データとの対応付けを行う（図２のステップＳ１１４）と説明したが、これらの対応付けは、必ずしも上記実施形態に記載した主体により行われなくてもよい。例えば、管理サーバ１０が、統合サーバ３０の機能の全部又は一部を有していてもよい。
【００７１】
また、上記実施形態において、管理サーバ１０が、商品データファイルと商品取扱データとを対応付けると説明したが、例えば、商品データファイルに、商品を販売する実店舗に関する情報が含まれている場合には、管理サーバ１０は、当該対応付けを行わなくてもよい。
【００７２】
また、情報処理システム１は、１つのページに掲載された商品を対応付けて上記データベースを構築できる。そのため、例えば同一の商品が複数の雑誌に掲載されている場合に、当該商品を介して、複数の雑誌の当該商品と同一のページに記載されている商品が互いに対応付けられる。ユーザは、これらの商品同士の対応付けを閲覧することができる。この商品同士の対応付けにより、ユーザに、互いに対応付けられた関連商品の購入を促したり、ファッションのコーディネートを示唆することができる。
【符号の説明】
【００７３】
１  情報処理システム
１０  管理サーバ
１１、２１、３１  通信部
１２、２２、３２  記憶部
１３、２３、３３  制御部
２０ａ、２０ｂ  商品提供者サーバ
３０  統合サーバ
【図１】
2018073205.tif 000003
【図２】
2018073205.tif 000004
【図３】
2018073205.tif 000005
【図４】
2018073205.tif 000006
【図５】
2018073205.tif 000007